(57)【要約】【課題】  イベント参加者間の交流を促進する技術の提供を目的とする。【解決手段】  イベントの参加者に対してイベントに関する情報を提供する処理をコンピューターに実行させるイベント参加者仲介プログラムであって、各ユーザーの関心種別に対する関心度合いを示す情報であるユーザー情報と、イベントに参加するユーザーをイベントと関連付けたイベント情報とを取得する情報取得部と、出力要求を行うユーザーである出力要求ユーザーから参加するイベントに関する情報の出力要求を受け付ける出力要求受付部と、出力要求受付部が出力要求を受け付けたイベントに参加する他の複数のユーザーである参加ユーザーの中から、出力要求ユーザーと関心の類似する参加ユーザーを、ユーザー情報を用いて抽出する類似参加者抽出部と、抽出された参加ユーザーに関する情報を出力要求ユーザーに送信する通信部として、コンピューターを機能させることを特徴とする。【選択図】  図１
2019219817.tif 000002
【特許請求の範囲】
【請求項１】
イベントの参加者に対して前記イベントに関する情報を提供する処理をコンピューターに実行させるイベント参加者仲介プログラムであって、
各ユーザーの関心種別に対する関心度合いを示す情報であるユーザー情報と、イベントに参加する前記ユーザーを該イベントと関連付けたイベント情報とを取得する情報取得部と、
出力要求を行う前記ユーザーである出力要求ユーザーから参加する前記イベントに関する情報の出力要求を受け付ける出力要求受付部と、
前記出力要求受付部が出力要求を受け付けた前記イベントに参加する他の複数のユーザーである参加ユーザーの中から、前記出力要求ユーザーと関心の類似する前記参加ユーザーを、前記ユーザー情報を用いて抽出する類似参加者抽出部と、
抽出された前記参加ユーザーに関する情報を前記出力要求ユーザーに送信する通信部として、前記コンピューターを機能させるイベント参加者仲介プログラム。
【請求項２】
請求項１に記載のイベント参加者仲介プログラムであって、
前記出力要求ユーザーに関連する前記関心度合いを示す情報と、前記参加ユーザーに関連する前記関心度合いを示す情報とを用いて、関心類似度を算出する関心類似度算出部として前記コンピューターを機能させ、
前記類似参加者抽出部は、前記関心類似度を用いて前記参加ユーザーを抽出することを特徴とする、イベント参加者仲介プログラム。
【請求項３】
請求項２に記載のイベント参加者仲介プログラムであって、
前記ユーザー情報は、前記ユーザーの投稿した画像から分析された前記関心度合いを示す情報を含むことを特徴とする、イベント参加者仲介プログラム。
【請求項４】
請求項１から３のいずれか一項に記載のイベント参加者仲介プログラムであって、
前記イベント情報では、前記イベントにて行われるイベント内イベントに対し、該イベント内イベントに参加する前記ユーザーが関連付けられており、
前記通信部は、前記出力要求ユーザーの参加しない前記イベント内イベントであって、前記類似参加者抽出部により抽出された前記参加ユーザーの参加する前記イベント内イベントを示す情報を前記出力要求ユーザーに送信することを特徴とする、イベント参加者仲介プログラム。
【請求項５】
請求項１から４のいずれか一項に記載のイベント参加者仲介プログラムであって、
前記参加ユーザーから通知対象者を抽出する通知対象者抽出部と、
前記通知対象者が前記出力要求ユーザーから所定距離内に存在するか否かを判定する通知判定部として前記コンピューターを機能させ、
前記通信部は、前記通知判定部が所定距離内であると判定する場合に、前記通知対象者を示す情報を前記出力要求ユーザーに送信することを特徴とする、イベント参加者仲介プログラム。
【請求項６】
請求項５に記載のイベント参加者仲介プログラムであって、
前記通知対象者抽出部は、前記通知対象者に対する感想の入力を受け付けるとともに、前記感想が好ましくない前記出力要求ユーザーからの出力要求に係るイベントについて、前記通知対象者の抽出を抑止することを特徴とする、イベント参加者仲介プログラム。
【請求項７】
請求項１から６のいずれか一項に記載のイベント参加者仲介プログラムであって、
イベント会場における前記出力要求ユーザーの位置を決定する位置決定部として前記コンピューターを機能させ、
前記通信部は、前記出力要求ユーザーの位置と、前記類似参加者抽出部により抽出された前記参加ユーザーの位置と、前記出力要求ユーザーと同じ会場に位置するユーザーのうち前記出力要求ユーザー及び前記参加ユーザーを除いた一般ユーザーの位置と、を区別して送信することを特徴とする、イベント参加者仲介プログラム。
【請求項８】
ユーザーの有する端末装置と、該端末装置と通信可能に接続されたサーバー装置とを備え、イベントの参加者の有する前記端末装置に対してイベントに関する情報を提供するイベント参加者仲介システムであって、
前記サーバー装置は、
各前記ユーザーの関心種別に対する関心度合いを示す情報であるユーザー情報と、イベントに参加する前記ユーザーを該イベントと関連付けたイベント情報とを取得する情報取得部と、
前記端末装置から参加する前記イベントに関する情報の出力要求を受け付ける出力要求受付部と、
前記出力要求受付部が出力要求を受け付けた前記イベントに参加する他の複数のユーザーである参加ユーザーの中から、前記出力要求を行った出力要求ユーザーと関心の類似する前記参加ユーザーを、前記ユーザー情報を用いて抽出する類似参加者抽出部と、
抽出された前記参加ユーザーに関する情報を前記端末装置に送信する通信部と、を備え、
前記端末装置は、
前記通信部から送信された前記参加ユーザーに関する情報を出力する出力部と、を備えることを特徴とする、イベント参加者仲介システム。
【請求項９】
イベントの参加者に対して前記イベントに関する情報を提供するサーバー装置であって、
各ユーザーの関心種別に対する関心度合いを示す情報であるユーザー情報と、イベントに参加する前記ユーザーを該イベントと関連付けたイベント情報とを取得する情報取得部と、
出力要求を行う前記ユーザーである出力要求ユーザーから参加する前記イベントに関する情報の出力要求を受け付ける出力要求受付部と、
前記出力要求受付部が出力要求を受け付けた前記イベントに参加する他の複数のユーザーである参加ユーザーの中から、前記出力要求ユーザーと関心の類似する前記参加ユーザーを、前記ユーザー情報を用いて抽出する類似参加者抽出部と、
抽出された前記参加ユーザーに関する情報を前記出力要求ユーザーに送信する通信部と、を備えることを特徴とする、サーバー装置。
【請求項１０】
イベントの参加者に対して前記イベントに関する情報を出力する処理をコンピューターに実行させるイベント情報出力プログラムであって、
前記コンピューターと通信可能に接続されたサーバー装置に、出力を行うユーザーである出力要求ユーザーの参加するイベントに関する情報の出力要求を送信する通信部と、
前記イベントに参加する他のユーザーである参加ユーザーの中で、前記出力要求ユーザーと関心の類似する前記参加ユーザーに関する情報を出力する出力部として、前記コンピューターを機能させ、
前記通信部は、各ユーザーの関心種別に対する関心度合いを示すユーザー情報を用いて抽出された前記参加ユーザーに関する情報を、前記出力要求への応答として前記サーバー装置から受信することを特徴とする、イベント情報出力プログラム。
【請求項１１】
ユーザーの有する端末装置と、該端末装置と通信可能に接続されたサーバー装置と、により実行されるイベント参加者仲介方法であって、
前記サーバー装置は、情報取得部と、出力要求受付部と、類似参加者抽出部と、通信部と、を備え、
前記サーバー装置の前記端末装置は、出力部を備え、
前記サーバー装置の前記情報取得部は、各前記ユーザーの関心種別に対する関心度合いを示す情報であるユーザー情報と、イベントに参加する前記ユーザーを該イベントと関連付けたイベント情報とを記憶しており、
前記サーバー装置の前記出力要求受付部は、前記端末装置から参加する前記イベントに関する情報の出力要求を受け付ける出力要求受付手順を実行し、
前記サーバー装置の前記類似参加者抽出部は、前記出力要求受付部が出力要求を受け付けた前記イベントに参加する他の複数のユーザーである参加ユーザーの中から、前記出力要求を行った出力要求ユーザーと関心の類似する前記参加ユーザーを、前記ユーザー情報を用いて抽出する類似参加者抽出手順を実行し、
前記通信部は、抽出された前記参加ユーザーに関する情報を前記端末装置に送信する通信手順を実行し、
前記端末装置の出力部は、前記通信部から送信された前記参加ユーザーに関する情報を表示する出力手順を実行することを特徴とする、イベント参加者仲介方法。
【請求項１２】
各ユーザーの関心種別に対する関心度合いを示す情報であるユーザー情報と、イベントに参加する前記ユーザーを該イベントと関連付けたイベント情報とを取得する情報取得部と、通信可能に接続された端末装置から出力要求を行う前記ユーザーである出力要求ユーザーが参加する前記イベントに関する情報の出力要求を受け付ける出力要求受付部と、前記出力要求受付部が出力要求を受け付けた前記イベントに参加する他の複数のユーザーである参加ユーザーの中から、前記出力要求ユーザーと関心の類似する前記参加ユーザーを、前記ユーザー情報を用いて抽出する類似参加者抽出部と、抽出された前記参加ユーザーに関する情報を前記端末装置に送信する通信部として、サーバー装置を機能させるプログラムを、該サーバー装置に構築するステップと、
前記サーバー装置に、出力要求ユーザーの参加するイベントに関する情報の出力要求を送信する通信部と、前記サーバー装置から受信した前記参加ユーザーに関する情報を出力する出力部として、端末装置を機能させるプログラムを、該端末装置に送信するステップと、
を実行することを特徴とする、イベント参加者仲介システム構築方法。
【発明の詳細な説明】
【技術分野】
【０００１】
本発明は、イベント参加者仲介プログラム、イベント参加者仲介システム、サーバー装置、イベント情報出力プログラム、イベント参加者仲介方法、及びイベント参加者仲介システム構築方法に関する。
【背景技術】
【０００２】
イベントに対する参加者の管理を行う技術が普及している。
【０００３】
特許文献１に開示されたイベント情報発信装置は、「イベント日時、イベント内容、参加予定人数などのイベントデータを随時蓄積するイベントデータベースと、イベントのスケジュール管理に関する情報提供を欲する会員に関する属性データなどの会員データを随時蓄積する会員データベースと、天気予報を随時受信する天気予報受信手段と、前記の会員データ、イベントデータおよび天気予報に基づいて、会員毎に当該会員に合わせたイベントデータを抽出してイベントお知らせ情報を編集するイベント抽出手段と、そのイベント抽出手段が抽出したイベントの開催日時から逆算された複数または単数のタイミングにて、会員に係る情報端末にイベントお知らせ情報を送信するお知らせ送信手段と」を備えている。
【先行技術文献】
【特許文献】
【０００４】
【特許文献１】特開２０１１−２０３９１４号公報
【発明の概要】
【発明が解決しようとする課題】
【０００５】
ビジネスカンファレンス等のイベントにおいて、参加者同士が交流することによる、新たな価値の創造が期待される。限られた時間内で効率的に参加者が交流を行うためには、共通する話題の選択など、交流の契機となる情報の入手が望まれる。
【０００６】
しかしながら、特許文献１で開示された技術では、参加者同士の交流を想定していない。
【０００７】
本発明は、上記の点に鑑みてなされたものであって、イベント参加者間の交流を促進する技術の提供を目的とする。
【課題を解決するための手段】
【０００８】
上記の課題を解決する本発明の一態様は、イベントの参加者に対して前記イベントに関する情報を提供する処理をコンピューターに実行させるイベント参加者仲介プログラムであって、各ユーザーの関心種別に対する関心度合いを示す情報であるユーザー情報と、イベントに参加する前記ユーザーを該イベントと関連付けたイベント情報とを取得する情報取得部と、出力要求を行う前記ユーザーである出力要求ユーザーから参加する前記イベントに関する情報の出力要求を受け付ける出力要求受付部と、前記出力要求受付部が出力要求を受け付けた前記イベントに参加する他の複数のユーザーである参加ユーザーの中から、前記出力要求ユーザーと関心の類似する前記参加ユーザーを、前記ユーザー情報を用いて抽出する類似参加者抽出部と、抽出された前記参加ユーザーに関する情報を前記出力要求ユーザーに送信する通信部として、前記コンピューターを機能させることを特徴とする。
【０００９】
上記の課題を解決する本発明の他の態様は、ユーザーの有する端末装置と、該端末装置と通信可能に接続されたサーバー装置とを備え、イベントの参加者の有する前記端末装置に対してイベントに関する情報を提供するイベント参加者仲介システムであって、前記サーバー装置は、各前記ユーザーの関心種別に対する関心度合いを示す情報であるユーザー情報と、イベントに参加する前記ユーザーを該イベントと関連付けたイベント情報とを取得する情報取得部と、前記端末装置から参加する前記イベントに関する情報の出力要求を受け付ける出力要求受付部と、前記出力要求受付部が出力要求を受け付けた前記イベントに参加する他の複数のユーザーである参加ユーザーの中から、前記出力要求を行った出力要求ユーザーと関心の類似する前記参加ユーザーを、前記ユーザー情報を用いて抽出する類似参加者抽出部と、抽出された前記参加ユーザーに関する情報を前記端末装置に送信する通信部と、を備え、前記端末装置は、前記通信部から送信された前記参加ユーザーに関する情報を出力する出力部と、を備えることを特徴とする。
【００１０】
上記の課題を解決する本発明の他の態様は、イベントの参加者に対して前記イベントに関する情報を提供するサーバー装置であって、各ユーザーの関心種別に対する関心度合いを示す情報であるユーザー情報と、イベントに参加する前記ユーザーを該イベントと関連付けたイベント情報とを取得する情報取得部と、出力要求を行う前記ユーザーである出力要求ユーザーから参加する前記イベントに関する情報の出力要求を受け付ける出力要求受付部と、前記出力要求受付部が出力要求を受け付けた前記イベントに参加する他の複数のユーザーである参加ユーザーの中から、前記出力要求ユーザーと関心の類似する前記参加ユーザーを、前記ユーザー情報を用いて抽出する類似参加者抽出部と、抽出された前記参加ユーザーに関する情報を前記出力要求ユーザーに送信する通信部と、を備えることを特徴とする。
【００１１】
上記の課題を解決する本発明の他の態様は、イベントの参加者に対して前記イベントに関する情報を出力する処理をコンピューターに実行させるイベント情報出力プログラムであって、前記コンピューターと通信可能に接続されたサーバー装置に、出力を行うユーザーである出力要求ユーザーの参加するイベントに関する情報の出力要求を送信する通信部と、前記イベントに参加する他のユーザーである参加ユーザーの中で、前記出力要求ユーザーと関心の類似する前記参加ユーザーに関する情報を出力する出力部として、前記コンピューターを機能させ、前記通信部は、各ユーザーの関心種別に対する関心度合いを示すユーザー情報を用いて抽出された前記参加ユーザーに関する情報を、前記出力要求への応答として前記サーバー装置から受信することを特徴とする。
【００１２】
上記の課題を解決する本発明の他の態様は、ユーザーの有する端末装置と、該端末装置と通信可能に接続されたサーバー装置と、により実行されるイベント参加者仲介方法であって、前記サーバー装置は、情報取得部と、出力要求受付部と、類似参加者抽出部と、通信部と、を備え、前記サーバー装置の前記端末装置は、出力部を備え、前記サーバー装置の前記情報取得部は、各前記ユーザーの関心種別に対する関心度合いを示す情報であるユーザー情報と、イベントに参加する前記ユーザーを該イベントと関連付けたイベント情報とを記憶しており、前記サーバー装置の前記出力要求受付部は、前記端末装置から参加する前記イベントに関する情報の出力要求を受け付ける出力要求受付手順を実行し、前記サーバー装置の前記類似参加者抽出部は、前記出力要求受付部が出力要求を受け付けた前記イベントに参加する他の複数のユーザーである参加ユーザーの中から、前記出力要求を行った出力要求ユーザーと関心の類似する前記参加ユーザーを、前記ユーザー情報を用いて抽出する類似参加者抽出手順を実行し、前記通信部は、抽出された前記参加ユーザーに関する情報を前記端末装置に送信する通信手順を実行し、前記端末装置の出力部は、前記通信部から送信された前記参加ユーザーに関する情報を表示する出力手順を実行することを特徴とする。
【００１３】
上記の課題を解決する本発明の他の態様は、イベント参加者仲介システム構築方法であって、各ユーザーの関心種別に対する関心度合いを示す情報であるユーザー情報と、イベントに参加する前記ユーザーを該イベントと関連付けたイベント情報とを取得する情報取得部と、通信可能に接続された端末装置から出力要求を行う前記ユーザーである出力要求ユーザーが参加する前記イベントに関する情報の出力要求を受け付ける出力要求受付部と、前記出力要求受付部が出力要求を受け付けた前記イベントに参加する他の複数のユーザーである参加ユーザーの中から、前記出力要求ユーザーと関心の類似する前記参加ユーザーを、前記ユーザー情報を用いて抽出する類似参加者抽出部と、抽出された前記参加ユーザーに関する情報を前記端末装置に送信する通信部として、サーバー装置を機能させるプログラムを、該サーバー装置に構築するステップと、前記サーバー装置に、出力要求ユーザーの参加するイベントに関する情報の出力要求を送信する通信部と、前記サーバー装置から受信した前記参加ユーザーに関する情報を出力する出力部として、端末装置を機能させるプログラムを、該端末装置に送信するステップと、を実行することを特徴とする。
【発明の効果】
【００１４】
本発明によれば、意図されたタイミングで、イベント参加者間の交流を促進する技術を提供することができる。
【図面の簡単な説明】
【００１５】
【図１】イベント参加者仲介システムの機能ブロック図である。
【図２】イベント情報のデータ構造の一例を示す図である。
【図３】ユーザー情報のデータ構造の一例を示す図である。
【図４】サーバー装置のハードウェア構成の一例を示す図である。
【図５】端末装置のハードウェア構成の一例を示す図である。
【図６】イベント参加者仲介システム構築処理の一例を示すフローチャートである。
【図７】イベント参加者仲介処理の一例を示すフローチャートである。
【図８】ターゲット通知処理の一例を示すフローチャートである。
【図９】モニター表示処理の一例を示すフローチャートである。
【図１０】イベント関連情報表示画面の一例を示す図である。
【図１１】シミラー一覧画面の一例を示す図である。
【図１２】シミラー詳細画面の一例を示す図である。
【図１３】ターゲット通知画面の一例を示す図である。
【図１４】モニター画面の一例を示す図である。
【発明を実施するための形態】
【００１６】
以下、図面に基づいて本発明の実施の形態を説明する。図１は、イベント参加者仲介システム１の機能ブロック図である。イベント参加者仲介システム１は、サーバー装置１０と、端末装置２０とを有する。イベント参加者仲介システム１では、サーバー装置１０と１又は複数の端末装置２０とが各々ネットワークｎを介して通信可能に接続される。
【００１７】
サーバー装置１０は、サーバーコンピューター、又はＰＣ（Personal Computer）等の情報処理装置であって、例えばイベント参加者仲介システム１を用いたイベント参加者仲介サービスの事業者が運用している。
【００１８】
端末装置２０は、ＰＣ、スマートフォン、フィーチャーフォン、ＰＤＡ(Personal Digital Assistant)、ノートパソコン、又はタブレット端末等の情報処理装置であって、イベント参加者仲介サービスのユーザーにより操作される。
【００１９】
サーバー装置１０は、制御部１１０と、記憶部１２０と、通信部１３０とを備える。制御部１１０は、サーバー装置１０の全体を統括的に制御する。記憶部１２０は、制御部１１０による処理に必要な情報を記憶する。通信部１３０は、端末装置２０に対して情報の送信及び受信を行う。
【００２０】
イベント参加者仲介システム１による処理が開始される前に、ユーザーは端末装置２０を操作することにより、イベントへの参加申し込みを行う。イベントへの参加が許可される場合、サーバー装置１０の制御部１１０は、イベントとユーザーとを関連付けて、後述するイベント情報１２１を生成する。なお、サーバー装置１０とは別の情報処理装置（図示しない）が、イベントの参加申し込みを受け付け、イベント情報１２１を生成してサーバー装置１０に送信するものであってもよい。
【００２１】
なお、本実施形態におけるイベントとは、事前に参加登録を要する各種催し物を示す。以下、一例として、ビジネスイベントを用いて説明する。ビジネスイベントでは、当該イベント内で行われるセミナー等の「イベント内イベント」が催されることがあり、セミナーには事前の参加登録を要することがある。
【００２２】
また、イベント参加者仲介システム１による処理が開始される前に、ユーザーは端末装置２０を操作することにより、ＳＮＳ（Social Networking Service）に投稿を行う。ＳＮＳの一例として、ｆａｃｅｂｏｏｋ（登録商標）等が挙げられ、ユーザーは端末装置２０を介してＳＮＳに対してテキスト情報の入力や画像の投稿等の操作を行う。制御部１１０は、ユーザーの投稿した情報に基づいて、後述するユーザー情報１２２を生成する。なお、ユーザー情報１２２の生成は、サーバー装置１０とは別の情報処理装置（図示しない）が行い、サーバー装置１０に送信するものであってもよい。
【００２３】
制御部１１０は、出力要求受付部１１１と、シミラー抽出部１１２と、関心類似度算出部１１３と、フォロー指定受付部１１４と、ターゲット抽出部１１５と、ターゲット通知判定部１１６と、位置決定部１１７と、情報取得部１１８とを備える。出力要求受付部１１１は、ユーザーにより操作される端末装置２０から、該ユーザーの参加するイベントに関する情報の出力要求を受け付ける。
【００２４】
シミラー抽出部１１２は、出力要求を受け付けたイベントに参加する他の複数のユーザーである参加ユーザーの中から、出力要求を行ったユーザーと関心の類似する参加ユーザーを抽出する。本実施形態において、参加ユーザーのうち端末装置２０を操作するユーザーと関心又は興味の対象が類似するユーザーのことを「シミラー」という。シミラーは類似参加者ともいえる。シミラーの抽出には、後述するユーザー情報１２２が用いられる。シミラー抽出部１１２は、ユーザー情報１２２に基づいて算出される、ユーザーと他の参加ユーザーとの関心類似度を用いて、シミラーを抽出する。
【００２５】
関心類似度算出部１１３は、ユーザー情報１２２に含まれる関心度合いを示す情報を用いて、ユーザーと参加ユーザーとの関心類似度を算出する。
【００２６】
フォロー指定受付部１１４は、出力要求を受け付けたイベントの参加ユーザーの中から、追跡の対象となる参加ユーザーである追跡対象ユーザーを指定するフォロー指定を端末装置２０から受け付ける。フォロー指定がなされると、追跡対象ユーザーの行動予定が表示される。行動予定には、追跡対象ユーザーが参加登録しているイベント内イベントを特定する情報が含まれる。
【００２７】
ターゲット抽出部１１５は、出力要求を受け付けたイベントの参加ユーザーの中から、通知の対象となる通知対象ユーザーを抽出する。一例として、ターゲット抽出部１１５は、端末装置２０への入力操作に基づいて参加ユーザーの中から選択されたユーザーを、通知対象ユーザーとして抽出する。なお、ターゲット抽出部１１５は、シミラーの中から通知対象ユーザーの選択を受け付けてもよい。他の例として、ターゲット抽出部１１５は、ユーザーにより端末装置２０を介してキーワードの入力を受け付ける。ターゲット抽出部１１５は、参加ユーザーに対応するユーザー情報１２２を参照し、入力されたキーワードと関連性のある他のユーザーを通知対象ユーザーとして抽出する。
【００２８】
ターゲット通知判定部１１６は、通知対象ユーザーが、出力要求を行ったユーザーから所定距離内に存在するか否かを判定する。具体的には、ターゲット通知判定部１１６は、イベントに参加しているユーザーの端末装置２０から定期的に位置情報を取得しており、位置情報に基づいて、出力要求を行ったユーザーの有する端末装置２０と、通知対象ユーザーの有する端末装置２０との距離を算出する。ターゲット通知判定部１１６は、算出した距離が所定距離を示す値以下であるか否かを判定する。ターゲット通知判定部１１６が所定距離内に通知対象ユーザーが存在すると判定する場合、通知対象ユーザーの接近を示す情報が端末装置２０に送信される。その後、端末装置２０がユーザーに対して報知を行う。
【００２９】
位置決定部１１７は、イベント会場におけるユーザーの位置を決定する。一例として、位置決定部１１７は、端末装置２０の有する測位信号受信装置（図示しない）を用いて特定される位置情報を取得する。他の例として、位置決定部１１７は、端末装置２０の有するタグ読取装置により読み取られた、イベント会場に備え付けられたタグの位置から、端末装置２０の位置を決定する。位置決定部１１７は、決定した端末装置２０の位置を後述のイベント情報１２１に格納する。
【００３０】
情報取得部１１８は、イベント情報１２１と、ユーザー情報１２２とを取得する。情報取得部１１８は、先述したように制御部１１０により生成されたイベント情報１２１とユーザー情報１２２とを取得してもよいし、ネットワークｎを介して接続された他の情報処理装置（図示せず）からイベント情報１２１とユーザー情報１２２とを取得してもよい。以下、情報取得部１１８は、取得したイベント情報１２１と、ユーザー情報１２２とを記憶部１２０に格納する例を用いて説明する。しかしながら、制御部１１０の有する各処理部は、情報取得部１１８の取得したイベント情報１２１とユーザー情報１２２とを直接参照し、処理に用いてもよい。
【００３１】
記憶部１２０は、イベント情報１２１と、ユーザー情報１２２とを記憶している。イベント情報１２１は、イベントに参加するユーザーを該イベントと関連づけた情報である。ユーザー情報１２２は、各ユーザーの関心種別に対する関心度合いを示す情報を含む。
【００３２】
端末装置２０は、制御部２１０と、通信部２２０と、入力部２３０と、出力部２４０と、を備える。制御部２１０は、端末装置２０の全体を統括的に制御する。通信部２２０は、サーバー装置１０に対して情報の送信及び受信を行う。また、通信部２２０は、ユーザーの参加するイベントに関する情報の出力要求を、サーバー装置１０に対して送信する。
【００３３】
入力部２３０は、タッチパネル等の入力装置を介して情報の入力を受け付ける。出力部２４０は、ディスプレイやスピーカー等の出力装置を介して情報を出力する。また、出力部２４０は、イベントに関する情報を表示するイベント関連情報表示画面、シミラーを一覧で表示するシミラー一覧画面、シミラーに関する詳細情報を表示するシミラー詳細画面、通知対象ユーザーの接近を通知するターゲット通知画面、及びイベント会場の様子を表示するモニター画面等の表示画面を、ディスプレイに表示させるが、詳細は後述する。なお、出力部２４０は、通知対象ユーザーの接近の通知等の際に、スピーカーから音声を出力させたり、振動機能を用いて端末装置２０を振動させたりすることができる。
【００３４】
制御部２１０は、表示情報生成部２１１と、位置情報特定部２１２と、を備える。表示情報生成部２１１は、ディスプレイ等の出力装置を用いて表示させる画面の表示情報を生成する。位置情報特定部２１２は、後述する測位信号受信装置を用いて、端末装置２０の現在位置を示す情報を特定する。なお、位置情報特定部２１２は、後述するタグ読取装置を用いてイベント会場に備え付けられたタグを読み取った場合に、現在位置を特定したものと取り扱ってもよい。
【００３５】
図２は、イベント情報１２１のデータ構造の一例を示す図である。イベント情報１２１は、イベント識別子１２１ａと、参加ユーザー識別子１２１ｂと、参加セミナー識別子１２１ｃと、参加有無１２１ｄと、ターゲット識別子１２１ｅと、フォロー識別子１２１ｆと、位置１２１ｇと、を有する。
【００３６】
イベント識別子１２１ａは、イベントを特定する識別情報である。参加ユーザー識別子１２１ｂは、イベント識別子１２１ａにより特定されるイベントの参加ユーザーを特定する識別情報である。参加セミナー識別子１２１ｃは、参加ユーザー識別子１２１ｂにより特定される参加ユーザーが参加を予定している１又は複数のイベント内イベントを特定する識別情報である。
【００３７】
参加有無１２１ｄは、参加ユーザーがイベントに参加しているか否かを示す情報である。一例として、イベント会場内にある所定のタグを端末装置２０が読み取ると、ユーザーはイベントに参加しているものと取り扱われる。ターゲット識別子１２１ｅは、通知対象ユーザーとして抽出された１又は複数の通知対象ユーザーを特定する識別情報である。フォロー識別子１２１ｆは、参加ユーザーが追跡対象としてフォロー指定した１又は複数の追跡対象ユーザーを特定する識別情報である。
【００３８】
位置１２１ｇは、参加ユーザーの有する端末装置２０の位置を示す情報である。位置１２１ｇは、例えばイベント会場内の座標情報である。また例えば、位置１２１ｇは、端末装置２０により読み取られたタグを特定する情報である。
【００３９】
図３は、ユーザー情報１２２のデータ構造の一例を示す図である。ユーザー情報１２２は、ユーザー識別子１２２ａと、ＳＮＳアカウント１２２ｂと、興味種別１２２ｃと、行動履歴種別１２２ｄと、行動対象１２２ｅと、画像認識種別１２２ｆと、発信テキスト情報１２２ｇと、友人情報１２２ｈと、ＡＩ（人工知能：Artificial Intelligence）判定情報１２２ｉと、追加情報１２２ｊと、クレーム数１２２ｋと、を有する。
【００４０】
なお、興味種別１２２ｃと、行動履歴種別１２２ｄと、行動対象１２２ｅと、画像認識種別１２２ｆと、発信テキスト情報１２２ｇと、友人情報１２２ｈと、ＡＩ判定情報１２２ｉと、追加情報１２２ｊとは、関心種別１２２ｚとして取り扱われる。関心種別１２２ｚに対して、ユーザーの関心度合いを示す情報が関連付けられる。
【００４１】
ユーザー識別子１２２ａは、ユーザーを特定する識別情報である。ＳＮＳアカウント１２２ｂは、ユーザーの１又は複数のＳＮＳのアカウントを特定する識別情報である。
【００４２】
興味種別１２２ｃは、ユーザーの興味及び関心を特定する１又は複数の識別情報である。興味種別１２２ｃは、例えばＳＮＳにおいて複数の選択肢からユーザーの選択を受け付けることにより特定される。行動履歴種別１２２ｄは、ユーザーがＳＮＳにおいて行った行動又はアクティビティの種別を特定する情報である。例えば行動履歴種別１２２ｄには、他人の投稿に賛同する行動を示す情報や、他人の投稿を引用する行動を示す情報が含まれる。
【００４３】
行動対象１２２ｅは、行動履歴種別１２２ｄにより特定される行動又はアクティビティの種別において、ユーザーが行った行動の対象を特定する情報である。例えば、行動対象１２２ｅは、ユーザーが賛同した他人の投稿や、ユーザーが引用した他人の投稿を特定する情報である。
【００４４】
画像認識種別１２２ｆは、ユーザーが投稿した画像から認識される情報の種別を示す。即ち、画像認識種別１２２ｆは、ユーザーの投稿した画像から分析された関心度合いを示す情報である。一例として、画像認識種別１２２ｆは、ユーザーが投稿した画像のうち、最も枚数の多い画像の種別を示す情報である。例えば、画像認識種別１２２ｆは、表情１２２ｆａと、画像種別１２２ｆｂと、被写体１２２ｆｃと、人数１２２ｆｄと、地域１２２ｆｅと、室内外１２２ｆｆと、を含む。
【００４５】
表情１２２ｆａは、被写体の人物の表情を特定する情報である。例えば、笑顔の被写体が写った画像が最も多ければ、表情１２２ｆａには関心度合いを示す情報として「笑顔」を特定する情報が関連付けられる。画像種別１２２ｆｂは、画像の種別を示す情報である。例えば、画像種別１２２ｆｂには、動画又は静止画を特定する情報が関心度合いを示す情報として関連付けられる。
【００４６】
被写体１２２ｆｃは、画像の被写体の種別を特定する情報である。例えば、ユーザーが投稿した画像のうち、「猫」を撮影した画像が最も多ければ、被写体１２２ｆｃには関心度合いを示す情報として「猫」を示す情報が関連付けられる。
【００４７】
人数１２２ｆｄは、被写体の人数を示す情報である。例えば、ユーザーが投稿した画像のうち、被写体が「二人」である画像が最も多ければ、人数１２２ｆｄには、「２」が関連付けられる。撮影した地域１２２ｆｅは、画像の撮影地域を特定する情報である。例えば、ユーザーが投稿した画像に対し、撮影地域として「北海道」が最も多く関連付けられていれば、地域１２２ｆｅには「北海道」を示す情報が関連付けられる。
【００４８】
室内外１２２ｆｆは、室内又は室外を特定する情報である。例えば室内で撮影された画像が多ければ、室内外１２２ｆｆには「室内」を示す情報が関連付けられる。
【００４９】
発信テキスト情報１２２ｇは、ユーザーがＳＮＳに投稿した記事やつぶやきのテキスト情報である。友人情報１２２ｈは、ユーザーの友人としてＳＮＳに登録された人物を特定する情報である。ＡＩ判定情報１２２ｉは、既存のＡＩにより判定された情報である。一例として、ＡＩ判定情報１２２ｉは、所定のＡＩによるユーザーの性格診断の結果を示す情報である。
【００５０】
追加情報１２２ｊは、シミラー抽出の際に考慮することをユーザーが要望する情報を示す。追加情報１２２ｊは、ユーザーにより入力される情報である。一例として、追加情報１２２ｊとして、特定の会社名の文字列が関連付けられる。クレーム数１２２ｋは、ユーザーに対する苦情の数を示す値である。本実施形態では、例えば通知対象ユーザーと会った後に、該通知対象ユーザーに対するユーザーの感想の入力を受け付ける。入力された感想が好ましいものでない場合に、通知対象ユーザーのクレーム数１２２ｋが増加する。
【００５１】
図４は、サーバー装置１０のハードウェア構成の一例を示す図である。サーバー装置１０は、演算装置１１、メモリ１２、外部記憶装置１３、入力ＩＦ（Interface）１４、出力ＩＦ１５、通信ＩＦ１６、及び記憶媒体駆動装置１７を備え、各構成要素はバスにより接続されている。
【００５２】
演算装置１１はＣＰＵ（Central Processing Unit）等の中央演算装置であって、メモリ１２又は外部記憶装置１３に記録されたプログラムに従って処理を実行する。制御部１１０を構成する各処理部は、演算装置１１がプログラムを実行することにより各々の機能を実現する。
【００５３】
メモリ１２は、ＲＡＭ（Random Access Memory）又はフラッシュメモリ等の記憶装置であり、プログラムやデータが一時的に読み出される記憶エリアとして機能する。外部記憶装置１３は、例えばＨＤＤ（Hard Disk Drive）等、書き込み及び読み出し可能な記憶メディアである。
【００５４】
入力ＩＦ１４は、入力操作を受け付ける入力装置（図示略）と接続するためのインターフェイスであり、例えばタッチパネル、マイク等からの入力を受け付ける。
【００５５】
出力ＩＦ１５は、出力装置に対して情報を出力するためのインターフェイスである。通信ＩＦ１６は、サーバー装置１０に接続された他の装置との通信を仲介するインターフェイスである。通信部１３０は、通信ＩＦ１６によりその機能が実現される。記憶媒体駆動装置１７は、ＣＤ（Compact Disk）やＤＶＤ（Digital Versatile Disk）等の可搬性のメディア１８から情報を入出力する装置である。
【００５６】
記憶部１２０は、メモリ１２又は外部記憶装置１３によりその機能が実現される。また、記憶部１２０は、ネットワークｎ上の記憶装置によってその機能が実現されてもよい。
【００５７】
図５は、端末装置２０のハードウェア構成の一例を示す図である。端末装置２０は、演算装置２１と、メモリ２２と、外部記憶装置２３と、測位信号受信装置２４と、入力ＩＦ２５と、出力ＩＦ２６と、通信ＩＦ２７と、を備える。入力ＩＦ２５には、タグ読取装置２８が接続されている。演算装置２１は演算装置１１と、メモリ２２はメモリ１２と、外部記憶装置２３は外部記憶装置１３と、入力ＩＦ２５は入力ＩＦ１４と、出力ＩＦ２６は出力ＩＦ１５と、各々同様であるため、説明を省略する。
【００５８】
測位信号受信装置２４は、例えばＧＰＳ衛星等の衛星からの信号を受信し、移動体と衛星間の距離と距離の変化率とを３個以上の衛星に対して測定することで移動体の現在地、進行速度および進行方位を測定する。なお、測位信号受信装置２４は、ＧＰＳ衛星よりも高精度な現在位置算出に用いられる準天頂衛星システム等からの測位信号を受信可能であり、位置情報特定部２１２はこれに基づいて端末装置２０の位置を特定してもよい。
【００５９】
タグ読取装置２８は、例えばＲＦＩＤ（Radio Frequency IDentification）システムにおけるＲＦタグ等の無線タグ（以下、単に「タグ」と記載）の読取を行う装置である。なお、本実施形態では、例えばタグ読取装置２８に代えて、ＱＲコード（登録商標）等の二次元コードを読み取り可能な読取装置を有していてもよい。
【００６０】
なお、位置情報特定部２１２が、タグを読み取ることにより位置の特定を行う場合、測位信号受信装置２４は必ずしも必要でない。また、位置情報特定部２１２は、測位信号受信装置２４からの信号分析のみによって位置を特定する場合、タグ読取装置２８は必ずしも必要でない。
【００６１】
なお、サーバー装置１０及び端末装置２０の各構成要素の処理は、１つのハードウェアで実行されてもよいし、複数のハードウェアで実行されてもよい。また、サーバー装置１０及び端末装置２０の各構成要素の処理は、１つのプログラムで実現されてもよいし、複数のプログラムで実現されてもよい。
【００６２】
図６は、イベント参加者仲介システム構築処理の一例を示すフローチャートである。本処理は、サーバー装置１０の制御部１１０が、イベント参加者仲介アプリケーション管理ソフトウェアのインストール要求を受け付けると開始される。
【００６３】
まず、制御部１１０は、イベント参加者仲介アプリケーション管理ソフトウェアをサーバー装置１０に構築する（ステップＳ１１）。制御部１１０は、例えばイベント参加者仲介アプリケーション管理ソフトウェアを構成するプログラムを通信部１３０を介して取得し、インストールすることにより、サーバー装置１０にプログラムを構築する。また例えば、サーバー装置１０においてイベント参加者仲介アプリケーション管理ソフトウェアのプログラムが生成されることにより、制御部１１０はサーバー装置１０にプログラムを構築する。
【００６４】
次に、制御部１１０は、イベント参加者仲介アプリケーションの要求を受け付けたか否かを判定する（ステップＳ１２）。具体的には、制御部１１０は、端末装置２０からイベント参加者仲介アプリケーションのダウンロード要求を受け付けたか否かを判定する。制御部１１０が、イベント参加者仲介アプリケーションの要求を受け付けていない場合（ステップＳ１２で「ＮＯ」の場合）、ステップＳ１２の処理を繰り返す。
【００６５】
制御部１１０が、イベント参加者仲介アプリケーションの要求を受け付けたと判定する場合（ステップＳ１２で「ＹＥＳ」の場合）、制御部１１０は、要求を行った端末装置２０に対して、イベント参加者仲介アプリケーションのプログラムを送信する（ステップＳ１３）。その結果、端末装置２０にイベント参加者仲介アプリケーションがインストールされる。その後、制御部１１０は本フローチャートの処理を終了する。
【００６６】
図７は、イベント参加者仲介処理の一例を示すフローチャートである。本処理は、例えばサーバー装置１０において定期的に実行される。
【００６７】
まず、出力要求受付部１１１が、イベントの選択を受け付ける（ステップＳ２１）。具体的には、まず、端末装置２０にインストールされたイベント参加者仲介アプリケーションにおいて、ユーザーの操作に基づいて、ユーザーが参加登録を行ったイベントの一覧が表示される。端末装置２０において、イベントが選択され、該イベントに関する情報の出力を指示する入力操作がなされると、イベントを特定した出力要求がサーバー装置１０に送信される。
【００６８】
出力要求受付部１１１は、選択されたイベントを特定し、該イベントに関する情報を、通信部１３０を介して端末装置２０に送信する。端末装置２０の表示情報生成部２１１は、イベントに関する情報を表示するイベント関連情報表示画面２５０の表示情報を生成し、出力部２４０を介して出力する。
【００６９】
図１０は、イベント関連情報表示画面２５０の一例を示す図である。イベント関連情報表示画面２５０は、イベント関連情報表示領域２５０１と、ターゲット対象者表示領域２５０２と、フォロー情報表示領域２５０３と、シミラー抽出要求受付ボタン２５０４と、参加者表示要求受付ボタン２５０５と、を有する。
【００７０】
イベント関連情報表示領域２５０１は、出力要求が行われたイベントの関連情報を表示する領域であって、例えば図１０に示すように、イベントに対するユーザーの状況（参加又は不参加）や、イベント内イベントに対するユーザーの状況を示す情報が表示される。なお、例えばイベント会場に設置されたタグをタグ読取装置２８が読み取り、端末装置２０の位置情報特定部２１２が読み取った情報をサーバー装置１０に送信すると、制御部１１０はイベント情報１２１の参加有無１２１ｄ及び位置１２１ｇを更新する。参加有無１２１ｄを参照することにより、出力要求受付部１１１は、イベントへのユーザーの参加有無を特定して端末装置２０に送信する。
【００７１】
また、出力要求受付部１１１は、イベント情報１２１の参加セミナー識別子１２１ｃを参照し、ユーザーが参加登録を行ったイベント内イベントを特定する。出力要求受付部１１１は、当該イベント内イベント、及び位置１２１ｇにより特定可能なイベント内イベントに対するユーザーの状況を、端末装置２０に送信する。その結果、イベント関連情報表示領域２５０１の表示情報が表示情報生成部２１１により生成され、端末装置２０のディスプレイに表示される。
【００７２】
なお、記憶部１２０の図示しない領域又はネットワークｎを介して接続された図示しない情報処理装置には、セミナーの開始時刻や内容等に関するセミナー情報が記憶されている。出力要求受付部１１１は、参加セミナー識別子１２１ｃを用いてセミナー情報を参照することにより、セミナーに関する情報を取得することができる。
【００７３】
ターゲット対象者表示領域２５０２は、出力要求に係るイベントでの通知対象ユーザーを表示する領域である。出力要求受付部１１１は、イベント情報１２１のターゲット識別子１２１ｅを参照することにより、通知対象ユーザーを抽出し、端末装置２０に送信する。
【００７４】
なお、出力要求受付部１１１は、イベント情報１２１における通知対象ユーザーのレコードを特定し、該レコードのターゲット識別子１２１ｅを参照することにより、出力要求を行ったユーザーが、通知対象ユーザーからも通知対象とされているか否かを特定してもよい。出力要求に係るユーザーと通知対象ユーザーとが互いに通知対象として抽出されている場合、図１０に示すように、ターゲット対象者表示領域２５０２には、通知対象ユーザーからも通知対象（ターゲット対象）とされていることを示す情報が表示される。
【００７５】
フォロー情報表示領域２５０３は、出力要求に係るユーザーからフォロー指定された追跡対象ユーザーに関する情報を表示する領域である。出力要求受付部１１１は、イベント情報１２１のフォロー識別子１２１ｆを参照して追跡対象ユーザーを特定し、追跡対象ユーザーのスケジュールや、参加するイベント内イベントに関する情報を端末装置２０に送信する。その際、出力要求受付部１１１は、追跡対象ユーザーの参加するイベント内イベントであって、出力要求に係るユーザーが参加を予定していないイベント内イベントを特定し、他のイベント内イベントに関する情報と区別して端末装置２０に送信してもよい。
【００７６】
また、フォロー情報表示領域２５０３には、出力要求に係るユーザーがスケジュール上予定の入っていない時間帯と、フォロー指定された参加ユーザーがスケジュール上予定の入っていない時間帯とが重複する場合に、重複する時間帯を他の時間帯とが区別して表示されてもよい。これにより、ユーザーと追跡対象ユーザーとが交流可能な時間帯を認識することができる。
【００７７】
端末装置２０の表示情報生成部２１１は、フォロー対象である追跡対象ユーザーに関するスケジュール等の情報をフォロー情報表示領域２５０３に表示させる。その際、図１０に示すように、追跡対象ユーザーの参加するイベント内イベントのうち、出力要求に係るユーザーが参加を予定していないイベントへの参加を促すよう表示してもよい。
【００７８】
シミラー抽出要求受付ボタン２５０４は、出力要求に係るイベントに参加するシミラーの抽出要求の入力を受け付けるためのボタンである。参加者表示要求受付ボタン２５０５は、出力要求に係るイベントの参加者一覧の表示要求を受け付けるためのボタンである。参加者表示要求受付ボタン２５０５の入力を受け付けると、サーバー装置１０の出力要求受付部１１１はイベント情報１２１を参照することにより参加者の一覧を示す情報を生成し、端末装置２０に送信する。端末装置２０の表示情報生成部２１１は、参加者の一覧を表示する図示しない画面情報を生成し、ディスプレイに表示させる。
【００７９】
説明を図７に戻す。次に、シミラー抽出部１１２は、シミラー機能が選択されたか否かを判定する（ステップＳ２２）。具体的には、シミラー抽出部１１２は、イベント関連情報表示画面２５０において、シミラー抽出要求受付ボタン２５０４が選択された場合に、シミラー機能が選択されたものと判定する。
【００８０】
シミラー抽出部１１２が、シミラー機能が選択されたものと判定する場合（ステップＳ２２で「ＹＥＳ」の場合）、シミラー抽出部１１２は、イベントの参加者を抽出する（ステップＳ２３）。具体的には、シミラー抽出部１１２は、イベント情報１２１の参加ユーザー識別子１２１ｂを参照することにより、出力要求に係るイベントに参加する１又は複数の参加ユーザーを抽出する。
【００８１】
次に、関心類似度算出部１１３は、参加者毎に関心類似度を算出する（ステップＳ２４）。関心類似度算出部１１３は、ステップＳ２３で抽出した参加ユーザーの１人について、ユーザー情報１２２を参照し、関心種別１２２ｚを特定する。また、関心類似度算出部１１３は、出力要求を行ったユーザーの関心種別１２２ｚを特定する。関心類似度算出部１１３は、各々の関心種別１２２ｚを比較して類似度を算出する。関心類似度算出部１１３は、ステップＳ２３で抽出された参加ユーザーの各々について、関心類似度の算出を行う。
【００８２】
なお、類似度の算出については公知の手段を用いるため、説明を省略する。例えば、関心類似度算出部１１３は、ユーザー及び参加ユーザーの関心種別１２２ｚを構成する各々の種別について、完全一致する場合に「５」、第１の所定文字数以上の文字列が一致する場合に「４」、第１の所定文字数未満であって第２の所定文字数以上の文字列が一致する場合に「３」等の指数を付与し、各々の指数を加算することにより類似度を算出する。なお、関心種別１２２ｚを構成する種別のうち、ある特定の種別の指数が予め他の種別の指数よりも有利に設定されていてもよい。即ち、指数は関心種別を構成する各種別毎に定められていてもよい。指数による重み付けは、ユーザー毎に任意の値を設定することができる。
【００８３】
一例として、画像認識種別１２２ｆの指数を、他の関心種別の指数よりも重み付けが高くなるよう設定する。その結果、例えば笑顔の写真が多い者同士や、犬や自動車など被写体が共通する者同士や、撮影地域が共通する者同士や、被写体の人数が共通する者同士や、インドア又はアウトドアなど撮影環境が似た者同士について、高い類似度が算出される。
【００８４】
また、関心類似度算出に用いられる情報は、図３に示すユーザー情報１２２に限定されない。例えば、ユーザーがインターネット上に公開した他の情報を用いて関心類似度の算出を行ってもよい。また、関心類似度算出に際し、インターネットを利用した買い物履歴情報や各種アンケートへの回答等の情報を用いてもよい。また、シミラーの抽出にあたり、考慮するキーワードの入力を受け付け、追加情報１２２ｊに追加することにより、関心類似度の算出に用いてもよい。
【００８５】
次に、シミラー抽出部１１２は、関心類似度の順に所定数の参加者を表示させる（ステップＳ２５）。具体的には、シミラー抽出部１１２は、参加ユーザーのうち関心類似度が高い順（又は低い順）に所定数のユーザーをシミラーとし、端末装置２０に送信する。端末装置２０の表示情報生成部２１１は、シミラーの一覧を表示するシミラー一覧画面２６０の表示情報を生成し、ディスプレイに表示する。
【００８６】
図１１は、シミラー一覧画面２６０の一例を示す図である。シミラー一覧画面２６０は、関心類似度順に所定数のシミラーを表示する画面である。シミラー一覧画面２６０は、各シミラーごとに、判定理由表示ボタン２６０１と、フォロー指定受付ボタン２６０２と、ターゲット指定受付ボタン２６０３とを有する。
【００８７】
判定理由表示ボタン２６０１は、対応するシミラーがシミラーとして抽出された理由を表示するための表示指示を受け付けるボタンである。フォロー指定受付ボタン２６０２は、対応するシミラーを追跡対象ユーザーとして指定する入力操作を受け付けるためのボタンである。ターゲット指定受付ボタン２６０３は、対応するシミラーを通知対象ユーザーとして指定する入力操作を受け付けるためのボタンである。
【００８８】
説明を図７に戻す。ステップＳ２２において、シミラー抽出部１１２が、シミラー機能が選択されていないものと判定する場合（ステップＳ２２で「ＮＯ」の場合）、出力要求受付部１１１は、参加者一覧の表示指示を受け付けたか否かを判定する（ステップＳ２６）。具体的には、出力要求受付部１１１は、イベント関連情報表示画面２５０の参加者表示要求受付ボタン２５０５が選択された場合に、参加者一覧の表示指示を受け付けたものと判定する。
【００８９】
出力要求受付部１１１が、参加者一覧の表示指示を受け付けていないと判定する場合（ステップＳ２６で「ＮＯ」の場合）、出力要求受付部１１１は処理をステップＳ２２に戻す。
【００９０】
出力要求受付部１１１が、参加者一覧の表示指示を受け付けたと判定する場合（ステップＳ２６で「ＹＥＳ」の場合）、出力要求受付部１１１は、参加者一覧を表示させる（ステップＳ２７）。具体的には、出力要求受付部１１１は、ステップＳ２１で選択されたイベントを示す情報を用いてイベント情報１２１を参照し、イベント識別子１２１ａに対応する参加ユーザー識別子１２１ｂを特定して端末装置２０に送信する。端末装置２０の表示情報生成部２１１は、参加者一覧画面の表示情報を生成してディスプレイに表示させる。その後、制御部１１０は処理をステップＳ３０に進める。
【００９１】
ステップＳ２５における処理終了後、シミラー抽出部１１２は、参加者が選択され、シミラー判定理由の表示指示を受け付けたか否かを判定する（ステップＳ２８）。具体的には、シミラー抽出部１１２は、図１１に示すシミラー一覧画面２６０の判定理由表示ボタン２６０１が選択された場合に、シミラー判定理由の表示指示を受け付けたものと取り扱う。シミラー判定理由の表示指示には、表示対象であるシミラーが特定されている。シミラー抽出部１１２が、シミラー判定理由の通知指示を受け付けていないと判定する場合（ステップＳ２８で「ＮＯ」の場合）、シミラー抽出部１１２は処理をステップＳ３０に進める。
【００９２】
シミラー抽出部１１２が、シミラー判定理由の通知指示を受け付けたと判定する場合（ステップＳ２８で「ＹＥＳ」の場合）、シミラー抽出部１１２は、関心類似度の高い関心種別を表示させる（ステップＳ２９）。具体的には、シミラー抽出部１１２は、判定理由の表示指示を受け付けたシミラーについて、ステップＳ２４で関心種別毎に算出した関心類似度を参照し、関心類似度の高い所定数の関心種別を特定して、端末装置２０に送信する。
【００９３】
図１２は、シミラー詳細画面２７０の一例を示す図である。シミラー詳細画面２７０は、図１１に示すシミラー一覧画面２６０において、判定理由表示ボタン２６０１が選択された場合に表示される画面である。シミラー詳細画面２７０は、判定理由表示ボタン２６０１選択の際に特定される参加ユーザー（シミラー）について、スケジュール表示領域２７０１と、判定理由表示領域２７０２と、ターゲット指定受付ボタン２７０３と、を有する。
【００９４】
スケジュール表示領域２７０１は、参加ユーザーのスケジュールを表示する領域である。端末装置２０の表示情報生成部２１１は、イベント情報１２１のうち、当該参加ユーザーの参加セミナー識別子１２１ｃを参照することにより特定される参加ユーザーのスケジュールをサーバー装置１０から受信することにより、スケジュール表示領域２７０１に参加ユーザーのスケジュールを表示させる。
【００９５】
なお、スケジュール表示領域２７０１には、サーバー装置１０の記憶部１２０の図示しない領域に記憶されている、当該参加ユーザーの参加セミナー以外のスケジュールを表示するものであってもよい。また、参加ユーザーの参加するイベント内イベントのうち、出力要求を行ったユーザーも参加する予定であるイベント内イベントを、該ユーザーが参加しないイベント内イベントと異ならせて表示してもよい。
【００９６】
判定理由表示領域２７０２は、シミラー詳細画面２７０に表示されるシミラーがなぜシミラーとして抽出されたかといった判定理由を表示する領域である。図１２に示す判定流表示領域には、「「登山」に興味があります」という判定理由が表示されている。これは、表示要求に係るユーザーと、参加ユーザーとに関するユーザー情報１２２のうち、興味種別１２２ｃに共に「登山」を示す情報が含まれ、興味種別という関心種別において関心類似度が高いことを示している。
【００９７】
また、図１２に示す判定理由表示領域２７０２には、「記事「ＣＣＣ」に賛同しています」という判定理由が表示されている。これは、表示要求に係るユーザーと、参加ユーザーとに関するユーザー情報１２２のうち、行動対象１２２ｅについて、共に「記事ＣＣＣへの賛同」を含むものであり、行動対象という関心種別において関心類似度が高いことを示している。
【００９８】
また、図１２に示す判定理由表示領域２７０２には、「地域Ｄで撮影した写真が多いです」という判定理由が表示されている。これは、両ユーザーの表示要求に係るユーザーと、参加ユーザーとに関するユーザー情報１２２のうち、地域１２２ｆｅについて、共に「地域Ｄ」を示す情報を含むものであり、撮影地域という関心種別において関心類似度が高いことを示している。
【００９９】
なお、シミラー詳細画面２７０は、シミラーの判定理由への感想を入力する領域を有していてもよい。
【０１００】
説明を図７に戻す。ステップＳ２７、ステップＳ２８において「ＮＯ」の場合、又はステップＳ２９の後、シミラー抽出部１１２は、参加者が選択され、フォロー機能が選択されたか否かを判定する（ステップＳ３０）。具体的には、シミラー抽出部１１２は、図１１に示すシミラー一覧画面２６０のフォロー指定受付ボタン２６０２が選択された場合に、フォロー機能が選択されたものと取り扱う。シミラー抽出部１１２が、フォロー機能が選択されていないと判定する場合（ステップＳ３０で「ＮＯ」の場合）、シミラー抽出部１１２は処理をステップＳ３２に進める。
【０１０１】
シミラー抽出部１１２が、フォロー機能が選択されたと判定する場合（ステップＳ３０で「ＹＥＳ」の場合）、フォロー指定受付部１１４は、選択された参加者の情報を表示する（ステップＳ３１）。具体的には、フォロー指定受付ボタン２６０２が選択されると、該ボタンが選択されたことを示す情報と、対応するシミラーを特定する情報とがサーバー装置１０に送信される。サーバー装置１０の制御部１１０は、イベント情報１２１のうち、出力要求に係るユーザーを示す参加ユーザー識別子１２１ｂを特定する。フォロー指定受付部１１４は、該参加ユーザー識別子１２１ｂと関連するフォロー識別子１２１ｆに、フォロー指定された参加ユーザーの識別子を関連付ける。
【０１０２】
また、フォロー指定受付部１１４は、イベント情報１２１を参照し、追跡対象ユーザーと関連する参加セミナー識別子１２１ｃを特定し、端末装置２０に送信する。その他、フォロー指定受付部１１４は、追跡対象ユーザーの位置１２１ｇや、記憶部１２０の図示しない領域に記憶された追跡対象ユーザーに関する情報を特定し、端末装置２０に送信する。
【０１０３】
端末装置２０の表示情報生成部２１１は、受信した情報を用いて追跡対象ユーザーに関する情報を表示する画面の表示情報を生成し、ディスプレイに表示させる。
【０１０４】
ステップＳ３０で「ＮＯ」の場合、又はステップＳ３１の後、ターゲット抽出部１１５は、参加者が選択され、ターゲット機能が選択されたか否かを判定する（ステップＳ３２）。具体的には、ターゲット抽出部１１５は、図１１に示すシミラー一覧画面２６０のターゲット指定受付ボタン２６０３が選択された場合に、ターゲット機能が選択されたものと取り扱う。ターゲット抽出部１１５が、ターゲット機能が選択されていないと判定する場合（ステップＳ３２で「ＮＯ」の場合）、ターゲット抽出部１１５は本フローチャートの処理を終了する。
【０１０５】
なお、ターゲット抽出部１１５は、ターゲット指定受付ボタン２６０３の選択に代えて、ターゲット指定に用いるキーワードの入力を受け付けてもよい。その場合、ターゲット抽出部１１５は、キーワードの入力を受け付けると、処理をステップＳ３３に進める。
【０１０６】
ターゲット抽出部１１５が、参加者が選択され、ターゲット機能が選択されたと判定する場合（ステップＳ３２で「ＹＥＳ」の場合）、ターゲット抽出部１１５は、イベント情報１２１にターゲット識別子を含める（ステップＳ３３）。具体的には、ターゲット指定受付ボタン２６０３が選択されると、該ボタンが選択されたことを示す情報と、対応するシミラーを特定する情報とがサーバー装置１０に送信される。サーバー装置１０のターゲット抽出部１１５は、イベント情報１２１のうち、出力要求に係るユーザーを示す参加ユーザー識別子１２１ｂを特定する。制御部１１０は、該参加ユーザー識別子１２１ｂと関連するターゲット識別子１２１ｅに、通知対象として指定された参加ユーザーの識別子を関連付ける。
【０１０７】
なお、ステップＳ３２において、キーワードの入力を受け付けた場合、ターゲット抽出部１１５は、端末装置２０から受信したキーワードを用いてユーザー情報１２２又はユーザーに関する図示しないデータベースを参照し、入力されたキーワードと関連する１又は複数の参加ユーザーを通知対象ユーザーとして抽出する。ターゲット抽出部１１５は、イベント情報１２１のうち、出力要求に係るユーザーを示す参加ユーザー識別子１２１ｂと関連するターゲット識別子１２１ｅに、抽出した通知対象ユーザーの識別子を関連付ける。その後、ターゲット抽出部１１５は本フローチャートの処理を終了する。
【０１０８】
本実施形態により、ユーザーは、自分が参加するイベントの参加者のうち、興味又は関心の類似する者を認識することができる。また、興味の類似する者の参加するイベント内イベントに関する情報を得ることができるため、有用と想定されるイベント内イベントへの参加の機会を得られるだけでなく、相手と交流を深めるタイミングを推し量ることができ、参加者間での交流が促進される。
【０１０９】
なお、本実施形態では、同じイベントに参加登録を行っている参加ユーザーの中から、シミラーの抽出を行った。しかしながら、イベント会場にてシミラーの抽出を行う場合、実際にイベントに参加しているユーザーの中からシミラーの抽出を行ってもよい。
【０１１０】
その場合、ステップＳ２３において、シミラー抽出部１１２は、ステップＳ２１で選択されたイベントの参加ユーザーのうち、イベント情報１２１において参加有無１２１ｄが「参加」であることを示す参加ユーザーを抽出する。
【０１１１】
また、本実施形態では、ステップＳ２４において、参加者の関心種別毎に関心類似度を算出する際、指数を用いて算出を行った。指数が関心種別を構成する各々の種別毎に定められてもよい点について上述した。指数の設定は、ある種別において、内容に応じて定められるものであってもよい。
【０１１２】
一例として、ユーザー情報１２２の興味種別１２２ｃには、ユーザーが選択した興味及び関心を示す情報が含まれている。出力要求に係るユーザーと参加ユーザーとの間で共通する興味について、その興味を興味種別１２２ｃに登録しているユーザーが少ないほど、関心類似度が高くなるよう設定されてもよい。
【０１１３】
登録している人が少ない興味を有するユーザーは、その興味について他人と話をする機会が相対的に少ないといえる。即ち、より「珍しい」興味を介する交流は、他の興味に関する交流よりも価値があると考えることができる。ユーザー情報１２２への関心度合いの登録数を考慮することで、希望する交流をより効率的に行うことができる。
【０１１４】
図８は、ターゲット通知処理の一例を示すフローチャートである。一例として、本処理は、サーバー装置１０において定期的に実行される。以下、イベントに参加したユーザーの有する端末装置２０を端末装置２０Ｘとして説明する。
【０１１５】
まず、位置決定部１１７が、端末装置２０Ｘがイベントに参加したか否かを判定する（ステップＳ４１）。具体的には、位置決定部１１７は、端末装置２０の位置情報特定部２１２からの情報を参照することにより、端末装置２０Ｘを有するユーザーがイベントに参加したか否かを判定する。例えば、位置情報特定部２１２から所定のタグを読み取ったことを示す情報を受信すると、位置決定部１１７は端末装置２０Ｘがイベントに参加したものと判定する。
【０１１６】
位置決定部１１７が、端末装置２０Ｘがイベントに参加していないと判定する場合（ステップＳ４１で「ＮＯ」の場合）、位置決定部１１７はステップＳ４１の処理を繰り返す。
【０１１７】
位置決定部１１７が、端末装置２０Ｘがイベントに参加したと判定する場合（ステップＳ４１で「ＹＥＳ」の場合）、ターゲット通知判定部１１６は、端末装置２０Ｘのユーザーのクレーム数が所定値未満であるか否かを判定する（ステップＳ４２）。具体的には、まず、位置決定部１１７が、イベント情報１２１を参照し、端末装置２０Ｘの参加ユーザー識別子１２１ｂに関連する参加有無１２１ｄを「参加」を示す情報に更新する。また、ターゲット通知判定部１１６は、ユーザー情報１２２を参照し、端末装置２０Ｘのユーザー識別子１２２ａと関連するクレーム数１２２ｋが所定値未満であるか否かを判定する。
【０１１８】
ユーザーに関するクレーム数が多い場合、該ユーザーとの交流を望まない参加ユーザーが多いと想定される。従って、クレーム数が所定値以上であるユーザーについては、通知対象ユーザーの指定がなされていた場合であっても、通知対象ユーザーの抽出を抑止する。即ち、他のユーザーから入力された感想が好ましくないユーザーからの出力要求に係るイベントについては、通知対象ユーザーの抽出が抑止される。
【０１１９】
従って、ターゲット通知判定部１１６が、端末装置２０Ｘのユーザーのクレーム数が所定値以上であると判定する場合（ステップＳ４２で「ＮＯ」の場合）、ターゲット通知判定部１１６は本フローチャートの処理を終了する。
【０１２０】
ターゲット通知判定部１１６が、端末装置２０Ｘのユーザーのクレーム数が所定値未満であると判定する場合（ステップＳ４２で「ＹＥＳ」の場合）、位置決定部１１７は、端末装置２０Ｘの位置情報を取得する（ステップＳ４３）。具体的には、位置決定部１１７は、端末装置２０Ｘに問い合わせを行うことにより、端末装置２０Ｘの位置情報を取得する。なお、端末装置２０Ｘの位置情報は、端末装置２０Ｘからサーバー装置１０に定期的に送信されるものであってもよい。位置決定部１１７は、取得した位置情報をイベント情報１２１の位置１２１ｇに格納する。
【０１２１】
次に、ターゲット通知判定部１１６は、端末装置２０Ｘのターゲットである端末装置２０Ｙを特定する（ステップＳ４４）。具体的には、ターゲット通知判定部１１６は、イベント情報１２１を参照し、端末装置２０Ｘの参加ユーザー識別子１２１ｂに関連するターゲット識別子１２１ｅに含まれる１又は複数の通知対象ユーザーの端末装置２０を特定する。ここで、通知対象ユーザーの有する端末装置２０を端末装置２０Ｙとする。
【０１２２】
なお、通知対象ユーザーが存在しない場合、ターゲット通知判定部１１６は本フローチャートの処理を終了する。また、通知対象ユーザーが複数である場合、ターゲット通知判定部１１６は各通知対象ユーザーについて以下の処理を行う。
【０１２３】
次に、ターゲット通知判定部１１６は、端末装置２０Ｙの位置情報を特定する（ステップＳ４５）。具体的には、ターゲット通知判定部１１６は、イベント情報１２１を参照し、端末装置２０Ｙの参加ユーザー識別子１２１ｂと関連する位置１２１ｇを特定する。
【０１２４】
次に、ターゲット通知判定部１１６は、端末装置２０Ｘと端末装置２０Ｙとの距離を算出する（ステップＳ４６）。位置情報を用いた端末装置間の距離の算出方法については、公知の方法を用いるため、説明を省略する。
【０１２５】
次に、ターゲット通知判定部１１６は、端末装置２０Ｘと端末装置２０Ｙとが所定距離内であるか否かを判定する（ステップＳ４７）具体的には、ターゲット通知判定部１１６は、ステップＳ４６で算出した距離が所定値以下である場合に、両端末装置２０が所定距離囲内であると判定する。ターゲット通知判定部１１６は、端末装置２０Ｘと端末装置２０Ｙとが所定距離を超える範囲にあると判定する場合（ステップＳ４７で「ＮＯ」の場合）、処理をステップＳ４３に戻す。
【０１２６】
ターゲット通知判定部１１６が、端末装置２０Ｘと端末装置２０Ｙとが所定距離内であると判定する場合（ステップＳ４７で「ＹＥＳ」の場合）、ターゲット通知判定部１１６は、端末装置２０Ｘに通知する（ステップＳ４８）。具体的には、ターゲット通知判定部１１６は、端末装置２０Ｙを示す情報と、通知対象ユーザーが所定距離内にいることを示す情報とを、端末装置２０Ｘに通知する。その後、ターゲット通知判定部１１６は、本フローチャートの処理を終了する。
【０１２７】
図１３は、ターゲット通知画面２８０の一例を示す図である。ターゲット通知画面２８０は、報知領域２８０１と、結果入力領域２８０２とを有する。報知領域２８０１は、端末装置２０Ｙが端末装置２０Ｘの近傍に存在することを示す情報を表示する領域である。図１３に示すように、報知領域２８０１には、端末装置２０Ｙの詳細表示指示を受け付ける入力領域があってもよい。
【０１２８】
結果入力領域２８０２は、通知後の交流結果の入力を受け付ける領域である。例えば、図１３に示すように、結果入力領域２８０２には、通知対象ユーザーに会えたか、又は交流を中止（会えなかった）したか否かの入力を受け付ける。なお、会えたことを示す情報を入力した場合、通知対象ユーザーに対する感想を入力する画面に表示画面が遷移する。
【０１２９】
以上、本実施形態では、イベント会場において、予め指定していた通知対象ユーザーと接近した場合に、ユーザーに対する通知がなされる。これにより、ユーザーは希望する他の参加ユーザーとの交流の機会を得ることができ、利便性が向上する。
【０１３０】
なお、本実施形態では、サーバー装置１０の位置決定部１１７が端末装置２０Ｘと端末装置２０Ｙとの距離判定を行うことで、両端末装置２０が接近しているか否かを判定した。しかしながら、両端末装置２０の接近判定は、サーバー装置１０でなく端末装置２０で行われてもよい。
【０１３１】
その場合、例えばイベント参加者仲介システムの各ユーザーの有する端末装置２０は、イベント会場において他の端末装置２０と近距離通信を行うための信号を発信する。また、端末装置２０Ｘは、通知対象ユーザーの有する端末装置２０のＭＡＣアドレス等のアドレス情報をサーバー装置１０から受信する。端末装置２０Ｘの位置情報特定部２１２は、近傍の他の端末装置２０から受信した信号を分析し、端末装置２０ＹのＭＡＣアドレスを発見した場合に、端末装置２０Ｙの接近を検知する。
【０１３２】
図９は、モニター表示処理の一例を示すフローチャートである。本処理は、サーバー装置１０において例えば定期的に実行される。
【０１３３】
まず、サーバー装置１０の位置決定部１１７は、端末装置２０Ｘがデスクタグを読み取ったか否かを判定する（ステップＳ５１）。具体的には、端末装置２０Ｘの位置情報特定部２１２が、所定のタグを読み取ったことを示す情報をサーバー装置１０に送信した場合に、位置決定部１１７は端末装置２０Ｘがデスクタグを読み取ったものと判定する。なお、デスクタグとは、イベント会場の机に設置されたタグを想定しているが、当然ながらタグの設置個所は机に限定されない。また、前述のように、デスクタグはＲＦタグ等の無線タグに限られず、ＱＲコード（登録商標）等の二次元コードであってもよい。
【０１３４】
位置決定部１１７が、端末装置２０Ｘがデスクタグを読み取っていないと判定する場合（ステップＳ５１で「ＮＯ」の場合）、位置決定部１１７は、処理をステップＳ５３に進める。
【０１３５】
位置決定部１１７が、端末装置２０Ｘがデスクタグを読み取ったと判定する場合（ステップＳ５１で「ＹＥＳ」の場合）、位置決定部１１７は、端末装置２０Ｘとデスクタグとを関連付ける（ステップＳ５２）。具体的には、位置決定部１１７は、イベント情報１２１を参照し、端末装置２０Ｘの参加ユーザー識別子１２１ｂに関連する位置１２１ｇに対してデスクタグを特定する情報を格納する。
【０１３６】
ステップＳ５２の後、又はステップＳ５１において「ＮＯ」と判定された場合、制御部１１０は、モニター機能が選択されたか否かを判定する（ステップＳ５３）。具体的には、制御部１１０は、モニター画面２９０の表示指示の入力操作を受け付けたことを示す情報を端末装置２０Ｘから受信した場合に、モニター機能が選択されたものと判定する。制御部１１０が、モニター機能が選択されていないと判定する場合（ステップＳ５３で「ＮＯ」の場合）、制御部１１０は本フローチャートの処理を終了する。
【０１３７】
制御部１１０が、モニター機能が選択されたと判定する場合（ステップＳ５３で「ＹＥＳ」の場合）、制御部１１０は、処理をステップＳ５４に進める。ステップＳ５４及びステップＳ５５の処理は、図７に示すステップＳ２３及びステップＳ２４の処理と同様であるため、説明を省略する。
【０１３８】
次に、シミラー抽出部１１２は、関心類似度の順に所定数の参加者をシミラーに特定する（ステップＳ５６）。具体的には、シミラー抽出部１１２は、参加ユーザーのうち関心類似度が高い順（又は低い順）に所定数のユーザーをシミラーに特定する。
【０１３９】
次に、制御部１１０は、端末装置２０Ｘの位置と、シミラーの位置と、一般ユーザーの位置とを端末装置２０に送信する（ステップＳ５７）。具体的には、制御部１１０は、イベント情報１２１を参照し、端末装置２０Ｘの位置１２１ｇを特定する。また、制御部１１０は、イベント情報１２１において、ステップＳ５６で特定したシミラーの位置１２１ｇを特定する。また、制御部１１０は、端末装置２０Ｘと同じイベントに参加する参加ユーザーのうち、端末装置２０Ｘに係るユーザー及びシミラーを除くユーザー（一般ユーザー）を参加有無１２１ｄを用いて特定し、当該ユーザーの位置１２１ｇを特定する。制御部１１０は、特定した位置情報を区別して、端末装置２０に送信する。その後、制御部１１０は本フローチャートの処理を終了する。
【０１４０】
図１４は、モニター画面２９０の一例を示す図である。モニター画面２９０には、イベント会場の地図を示す情報と共に、端末装置２０Ｘの位置２９０１ａと、一般ユーザーの位置２９０１ｂ、及びシミラーの位置２９０１ｃが区別して表示される。
【０１４１】
端末装置２０Ｘの表示情報生成部２１１は、サーバー装置１０から受信した各位置情報を用いて、モニター画面２９０の表示情報を生成し、ディスプレイに表示させる。
【０１４２】
以上、本実施形態により、ユーザーはイベント会場において空席を認識できるだけでなく、自分と興味の近いシミラーの位置を認識することができ、交流を促進することができる。
【０１４３】
以上、本発明に係る各実施形態及び変形例の説明を行ってきたが、本発明は、上記した実施形態の一例に限定されるものではなく、様々な変形例が含まれる。例えば、上記した実施形態の一例は、本発明を分かり易くするために詳細に説明したものであり、本発明は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。また、上記の各構成、機能、処理部、処理手段等は、それらの一部又は全部を、例えば集積回路で設計する等によりハードウェアで実現してもよい。また、図中の制御線や情報線は、説明上必要と考えられるものを示しており、全てを示しているとは限らない。ほとんど全ての構成が相互に接続されていると考えてもよい。
【０１４４】
例えば、本実施形態に係るイベント参加者仲介システムは、参加ユーザー同士でメッセージのやり取りを行うメッセンジャー機能や、ユーザーからの感想の入力を受け付けるアンケート機能を有していてもよい。
【０１４５】
なお、サーバー装置１０及び端末装置２０の機能構成は、理解を容易にするために、主な処理内容に応じて分類したものである。構成要素の分類の仕方や名称によって、本願発明が制限されることはない。上述に示す通り、サーバー装置１０及び端末装置２０の構成は、処理内容に応じて、さらに多くの構成要素に分類することもできる。また、１つの構成要素がさらに多くの処理を実行するように分類することもできる。
【符号の説明】
【０１４６】
１：イベント参加者仲介システム、１０：サーバー装置、１１・２１：演算装置、１２・２２：メモリ、１３・２３：外部記憶装置、１４・２５：入力ＩＦ、１５・２６：出力ＩＦ、１６・２７：通信ＩＦ、１７：記憶媒体駆動装置、１８：メディア、２０・２０Ｘ・２０Ｙ：端末装置、２４：測位信号受信装置、２８：タグ読取装置、１１０・２１０：制御部、１１１：出力要求受付部、１１２：シミラー抽出部、１１３：関心類似度算出部、１１４：フォロー指定受付部、１１５：ターゲット抽出部、１１６：ターゲット通知判定部、１１７：位置決定部、１２０：記憶部、１２１：イベント情報、１２２：ユーザー情報、１３０・２２０：通信部、２１１：表示情報生成部、２１２：位置情報特定部、２３０：入力部、２４０：出力部、２５０：イベント関連情報表示画面、２６０：シミラー一覧画面、２７０：シミラー詳細画面、２８０：ターゲット通知画面、２９０：モニター画面、２５０１：イベント関連情報表示領域、２５０２：ターゲット対象者表示領域、２５０３：フォロー情報表示領域、２５０４：シミラー抽出要求受付ボタン、２５０５：参加者表示要求受付ボタン、２６０１：判定理由表示ボタン、２６０２：フォロー指定受付ボタン、２６０３・２７０３：ターゲット指定受付ボタン、２７０１：スケジュール表示領域、２７０２：判定理由表示領域、２８０１：報知領域、２８０２：結果入力領域、２９０１ａ・２９０１ｂ・２９０１ｃ：位置、ｎ：ネットワーク
【図１】
2019219817.tif 000003
【図２】
2019219817.tif 000004
【図３】
2019219817.tif 000005
【図４】
2019219817.tif 000006
【図５】
2019219817.tif 000007
【図６】
2019219817.tif 000008
【図７】
2019219817.tif 000009
【図８】
2019219817.tif 000010
【図９】
2019219817.tif 000011
【図１０】
2019219817.tif 000012
【図１１】
2019219817.tif 000013
【図１２】
2019219817.tif 000014
【図１３】
2019219817.tif 000015
【図１４】
2019219817.tif 000016